(57)【特許請求の範囲】
【請求項１】
液晶と、該液晶を駆動する一対の電極を備え、前記電極間に印加される電界によって観察側から前記液晶に入射する光の強度を変化させて、前記観察側に反射出力する表示部と、この表示部上に設けられ、前記観察側から前記表示部に向けて光を照射する照明部と、を含む表示装置であって、
前記照明部は、前記表示部上に配置される透明電極層と、前記透明電極層上に配置される発光層と、前記発光層上に配置される反射電極層とを備え、
断面視で、前記反射電極層のエッジと前記発光層のエッジとの間の距離は、前記発光層の厚さよりも大きいことを特徴とする表示装置。
【請求項２】
前記表示部は、前記発光部から発生された光を受ける反射画素電極が配置された複数の画素を有し、前記照明部の行間ピッチ及び又は列間ピッチが、複数種類のピッチを有していることを特徴とする請求項１に記載の表示装置。
【請求項３】
液晶と、該液晶を駆動する一対の電極を備え、前記電極間に印加される電界によって観察側から前記液晶に入射する光の強度を変化させて、前記観察側に反射出力する表示部と、この表示部上に設けられ、前記観察側から前記表示部に向けて光を照射する照明部と、を含む表示装置であって、
前記照明部は、前記表示部にその裏面が配置された第１の基板と、
シール層を介して前記第１の基板に接合された第２の基板と、
前記第１の基板と第２の基板間に配置されたエレクトロルミネッセンス素子からなる発光部とを備え、
前記表示部は、複数の画素を有し、前記発光部から発生された光を受ける反射画素電極が各画素の中に形成された第３の基板と、
前記第３の基板上に配置され、その表面に共通電極が形成された第４の基板と、
前記第３の基板と第４の基板との間に封入された液晶層と、を備え、
前記照明部は、前記表示部上に配置される透明電極層と、前記透明電極層上に配置される発光層と、前記発光層上に配置される反射電極層とを備え、
断面視で、前記反射電極層のエッジと前記発光層のエッジとの間の距離は、前記発光層の厚さよりも大きいことを特徴とする表示装置。
【請求項４】
前記エレクトロルミネッセンス素子からなる発光部の行間ピッチ及び又は列間ピッチは、複数種類のピッチを有していることを特徴とする請求項３に記載の表示装置。
【請求項５】
前記発光部の行間ピッチ及び又は列間ピッチは、１ｍｍ以上の範囲で、周期性を持たないように配置されていることを特徴とする請求項１乃至４のいずれかに記載の表示装置。
【請求項６】
前記発光部は、島状のパターンであることを特徴とする請求項１乃至５のいずれかに記載の表示装置。
【請求項７】
前記発光部は、ライン状のパターンであることを特徴とする請求項１乃至６のいずれかに記載の表示装置。
【請求項８】
前記発光部は、格子状のパターンであることを特徴とする請求項１乃至７のいずれかに記載の表示装置。
【請求項９】
前記発光部は、有機エレクトロルミネッセンス素子または無機エレクトロルミネッセンス素子であることを特徴とする請求項１乃至８のいずれかに記載の表示装置。
【請求項１０】
液晶と、該液晶を駆動する一対の電極を備え、前記電極間に印加される電界によって観察側から前記液晶に入射する光の強度を変化させて、前記観察側に反射出力する表示部を備えた表示装置の観察側に配置される照明装置であって、
前記照明装置は、透明基板と、この透明基板上に配置された発光部を備え、
前記照明部は、前記表示部上に配置される透明電極層と、前記透明電極層上に配置される発光層と、前記発光層上に配置される反射電極層とを備え、
断面視で、前記反射電極層のエッジと前記発光層のエッジとの間の距離は、前記発光層の厚さよりも大きいことを特徴とする照明装置。
【請求項１１】
液晶と、該液晶を駆動する一対の電極を備え、前記電極間に印加される電界によって観察側から前記液晶に入射する光の強度を変化させて、前記観察側に反射出力する表示部を備えた表示装置の観察側に配置される照明装置であって、
前記照明装置は、前記表示装置にその裏面が配置される第１の基板と、
シール層を介して前記第１の基板に接合された第２の基板と、
前記第１の基板と第２の基板間に配置され、前記表示層の反射画素電極に光を照射するエレクトロルミネッセンス素子からなる発光部を備え、
前記照明部は、前記表示部上に配置される透明電極層と、前記透明電極層上に配置される発光層と、前記発光層上に配置される反射電極層とを備え、
断面視で、前記反射電極層のエッジと前記発光層のエッジとの間の距離は、前記発光層の厚さよりも大きいことを特徴とする照明装置。
【請求項１２】
前記発光部は、前記観察側の面に遮光部を備え、他方の面が前記表示装置の表示部に対向させて配置され、前記表示部に光を照射するようにしたことを特
徴とする請求項１０又は１１に記載の照明装置。
【発明の詳細な説明】
【技術分野】
【０００１】
本発明は、反射液晶表示部上に照明部を備えた反射型又は半透過型の液晶表示装置に関する。
【背景技術】
【０００２】
液晶表示装置（以下ＬＣＤという）は、薄型で低消費電力であるという特徴を備え、現在コンピュータのモニターや、携帯電話等の携帯情報機器のモニターとして広く用いられている。ＬＣＤには、透過型ＬＣＤ、反射型ＬＣＤ、半透過型ＬＣＤがある。
【０００３】
透過型ＬＣＤは、液晶に電圧を印加するための画素電極として透明電極を用い、ＬＣＤの後方にバックライトを配置し、このバックライトの透過光量を制御することで周囲が暗くても明るい表示ができる。しかし、昼間の屋外のように外光が強い環境では、十分なコントラストが確保できない特性がある。
【０００４】
反射型ＬＣＤは、太陽光や室内灯などの外光を光源として用い、ＬＣＤに入射するこれらの外光を、観察面側の基板に形成した反射層から成る反射画素電極によって反射する。
そして、液晶に入射し、反射画素電極で反射された光のＬＣＤパネルからの射出光量を画素毎に制御することで表示を行う。この反射ＬＣＤは、光源として外光を用いるため、外光がない環境では表示を行えないという問題がある。
【０００５】
半透過型ＬＣＤは、透過機能と反射機能の両方を併せ持ち、周囲が明るい環境にも暗い環境にも対応することができる。しかしながら、この半透過型ＬＣＤでは、１つの画素内に、透過領域と反射領域を有するため、１画素当たりの表示効率が悪いという問題があった。
【０００６】
そこで、反射型ＬＣＤにフロントライトを設けることで暗い環境下でも表示を可能とすることが考えられた。図１８はフロントライトが設けられた反射型ＬＣＤを示す図である。反射型ＬＣＤ１００の表示面に対向して透明アクリル板１１０が配置されている。この透明アクリル板１１０の反射型ＬＣＤと対向する面と反対側の面には複数の逆三角形状の溝１１１が形成されている。また、透明アクリル板１１０の側面には光源１１２が配置されている。光源１１２から透明アクリル板１１０に導入された光は、溝１１１の傾斜面で反射型ＬＣＤ１００の方向に屈折され、反射型ＬＣＤ１００の表示面に入射される。
【特許文献１】特開平５−３２５５８６号公報
【特許文献２】特開２００３−２５５３７５号公報
【発明の開示】
【発明が解決しようとする課題】
【０００７】
しかしながら、光源１１２から透明アクリル板１１０の中に導入された光は、透明アクリル板１１０に設けられた溝１１１の傾斜面で反射型ＬＣＤ１００の方向に屈折されるとともに、それとは逆方向である観察者１１３がいる方向にも多少は屈折されるため、その光が透明アクリル１１０から漏れ出て観察者の目に入り、ＬＣＤのコントラストを低下させるという問題があった。
【課題を解決するための手段】
【０００８】
本発明の表示装置は、上記課題に鑑みなされたものであり、表示素子に印加する電圧を制御することで、観察側から入射してくる光を表示層の光学特性に基づいて変調して反射射出する表示部（反射液晶表示部３００）と、この表示部の観察側に部分的に設けられ、表示部に向けて光を照射する照明部（照明部２００）と、を含み、観察側から入射してくる外光と、照明部からの光のいずれかまたは両方を表示部に照射し、表示部からの反射光を観察側に放射する表示装置であって、前記照明部は、前記表示部にその裏面が配置された第１の基板（第１の透明基板１０）と、シール層を介して前記第１の基板に接合された第２の基板と（第２の透明基板２０）、前記第１の基板と第２の基板間に所定の行間ピッチ及び又は列間ピッチで配置されたエレクトロルミネッセンス素子からなる発光部とを備え、前記表示部は、第２の方向に沿って配置された複数の画素を有し、前記発光部から発生された光を受ける反射画素電極が各画素の中に形成された第３の基板と、前記第３の基板上に配置され、その表面に共通電極が形成された第４の基板と、前記第３の基板と第４の基板との間に封入された液晶層と、を備え、前記エレクトロルミネッセンス素子からなる発光部の行間ピッチ及び又は列間ピッチが、表示領域において、複数種類のピッチにより形成されていることを特徴とするのである。
【発明の効果】
【０００９】
本発明の表示装置は、ボトムエミッション型の有機エレクトロルミネッセンス素子（有機エレクトロルミネッセンス素子から発光した光が、その有機エレクトロルミネッセンス素子が形成されている基板側に出射するタイプ）をフロントライトとして採用したものであり、明るい環境下及び暗い環境下の両方において、明るく、コントラストの高い液晶表示を実現することができる。
【発明を実施するための最良の形態】
【００１０】
次に本発明の第１の実施形態に係る表示装置について、図面を参照しながら説明する。
図１及び図２は、反射型液晶表示装置の全体構成を示した図である。図において、反射液晶表示部３００（反射型の液晶表示装置）上に照明部２００（フロントライトタイプの照明装置）が接合されている。照明部２００の構成は以下の通りである。ガラス基板等からなる第１の透明基板１０と第２の透明基板２０とは、互いの周端部に塗布された樹脂等からなるシール層１１を介して接着されている。
【００１１】
第１の透明基板１０の裏面は反射液晶表示部３００に接合されており、第１の透明基板１０の表面に有機エレクトロルミネッセンス素子１２（以下、「有機ＥＬ素子１２」と称する）が形成されている。これにより、有機ＥＬ素子１２は、第１の透明基板１０、第２の透明基板２０及びシール層１１によって囲まれた空間に封入されている。また、有機ＥＬ素子１２は、反射液晶表示部３００の画素領域３１０（図３参照）に対応する領域に形成されている。
【００１２】
有機ＥＬ素子１２は、第１の透明基板１０上に形成された陽極層１３と、この陽極層１３を覆って形成された有機層１４と、この有機層３２上に島状（アイランド状）のパターンを有して形成された複数の陰極層１５と、この陰極層１５に覆って形成され、前記陰極層１５と電気的に接続された透明電極層１８とを有する。島状に形成する陰極層１５は、発光部平面の形状を面積当りの周囲長さが最短となるような形状に形成する。即ち、島状の発光部平面の形状は、図２Ｃに示したように円形が好ましいが、図２Ａに示したように正方形、又は、図２Ｂに示したように長方形に形成しても良く、その他、楕円、菱型、多角形形状であってもよい。島状に形成する陰極層１５の発光部平面の形状は、マスク設計や成膜などの製造上の都合を顧慮して、適宜、選択することができる。
【００１３】
このように陰極層１５を島状に形成することで、発光部平面の面積当りの周囲長さを短くすることができる。これにより陰極層１５の発光部平面の面積が同じの場合、陰極層１５の発光部平面の形状をライン状又は格子状に形成したものに比べ、発光部平面の周囲長さを短くすることができるので、該発光部の周囲から漏れる光（漏れ光）を最小限にして、表示画面のコントラストを向上することができる。
【００１４】
また、陰極層１５を島状に形成することで、陰極層１５を人の目に見えにくくすることもできるようになった。すなわち、表示装置全体における陰極層１５の発光部平面の面積が同じ場合、陰極層１５のピッチ（配置間隔）が小さくほど、人の目に見えにくくすることができるが、ピッチを小さくすると、漏れ光の原因となる発光部平面の周囲長が長くなってしまう。しかし、陰極層１５の発光部平面の形状を島状に形成することで、ライン状又は格子状に形成したものに比べ、発光部平面の周囲長を短くすることができるので、漏れ光の影響を最小限にして、コントラストを向上することができる。更に、ライン状又は格子状に形成したものでは、製造上の微細化の限界により、ラインピッチを小さくすると、発光占有面積が大きくなり、光利用効率が悪くなってしまうが、陰極層１５の形状を島状とすることで、このような問題も解決することができる。
【００１５】
陽極層１３は、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）等の透明導電材料からなる。有機層１４は、電子輸送層、発光層、正孔輸送層からなる。陰極層１５は例えば、アルミニウム層（Ａｌ層）、又はマグネシウム層（Ｍｇ層）と銀層（Ａｇ層）からなる積層体である。また、透明電極層１８は、ＩＴＯやＩＺＯ等の透明導電材料からなる。ここで、陽極層１３の厚さは１００ｎｍ、有機層１４の厚さは２００ｎｍ、陰極層１５の厚さは５００ｎｍであることが好ましい。        
【００１６】
陽極層１３と陰極層１５で上下に挟まれた有機層１４の部分が発光領域となる。即ち、陰極層１５の直下にある有機層１４が発光領域である。発光領域は陽極層１３に正の電位、陰極層１５に負の電位を印加することで発光する。
【００１７】
前記発光領域から下方へ向かう光は、透明な陽極層１３及び第１の透明基板１０を通して反射液晶表示部３００へ照射される。また発光領域から上方へ向かう光の大部分は遮光層及び反射層を兼ねる陰極層１５によって、下方へ反射され、透明な陽極層１３及び第１の透明基板１０を通して反射液晶表示部３００へ照射される。したがって、照明部２００の上方にいて下方を見ている観察者の目に発光領域からの光が直接入ることが極力防止され、反射液晶表示部３００のコントラストを高くすることができる。
【００１８】
陽極層１３はＩＴＯやＩＺＯ等の透明導電材料を第１の透明基板１０上に形成した後に、フォトエッチング技術を用いることで、所望の領域に形成することができる。また、有機層１４及び陰極層１５については、マスクを用いた蒸着法により所望の領域に形成することができる。
【００１９】
また、有機ＥＬ素子１２は水分の浸入によって発光特性が劣化するので、これを防止するために、第２の透明基板２０の表面に第１の透明基板１０と対面するように乾燥剤層１６を形成することが好ましい。シール層１１を通して封止空間に浸入した水分は乾燥剤層１６によって吸収される。
【００２０】
乾燥剤層１６は、第２の透明基板２０を通して有機ＥＬ素子１２へ入射する外光が遮られるのを避けるために、有機ＥＬ素子１２と重ならないように、第２の透明基板２０の周端部に形成することが好ましい。ただし、乾燥剤層１６が透明材料からなる場合にはこの限りではない。また、第２の透明基板２０の裏面には外光の反射を防止するため、反射防止膜２１が貼り付けられていることが好ましい。
【００２１】
また、図３に示すように、第１の透明基板１０、透明電極層１８及びシール層１１によって囲まれた空間に、第１の透明基板の屈折率と等しいか、概ね等しい屈折率を有する樹脂１７を充填してもよい。また、樹脂１７とシール層１１とを一体として形成してもよい。
【００２２】
これにより、シール層１１を通して浸入する水分を確実にブロックすることができる。
また、図１の構造では、有機ＥＬ素子１２と透明電極層１８の間に空気層が存在するため、第２の透明基板２０から透明電極層１８に入射した外光は、空気層と透明電極層１８の界面で反射され、液晶表示のコントラストが悪化してしまう。これに対して、図３の構造によれば、第２の透明基板２０から透明電極層１８に入射した外光は、透明電極層１８の界面で反射されずに、反射液晶表示部３００に入射されるので液晶表示のコントラストが改善される。なお、図３の構造において、図１の乾燥剤層１６を設けてもよい。
【００２３】
次に、上述の照明部２００によって照明される反射液晶表示部３００の構造及び照明部２００との結合関係について、図４及び図５を参照して説明する。図４は、液晶表示部３００の画素領域３１０の一部の平面図、図５は図４のＸ−Ｘ線に沿った断面図である。
【００２４】
ガラス基板からなる第３の透明基板３０（ＴＦＴ基板）上に設けられた複数の画素のそれぞれにスイッチング用の薄膜トランジスタ３１（以下、ＴＦＴと称する）が形成されている。ＴＦＴ３１は層間絶縁膜３２によって被覆されており、層間絶縁膜３２上には各ＴＦＴ３１に対応してアルミニウム（Ａｌ）のような反射材料からなる反射画素電極３３が形成されている。反射画素電極３３は対応するＴＦＴ３１のドレイン又はソースに、層間絶縁膜３２に形成されたコンタクトホールＣＨを通して接続されている。
【００２５】
反射画素電極３３が形成された第３の透明基板３０と対向して、ガラス基板からなる第４の透明基板３４（対向基板）が配置されている。第４の透明基板３４の表面にはＩＴＯからなる共通電極３５が形成されている。第４の透明基板３４の裏面には、拡散粘着層からなる光散乱層３６、偏光板３７がこの順番で積層されている。尚、偏光板３７は、直線偏光フィルタの裏面にλ/4位相差板を張り合わせた円偏光フィルタである。光散乱層３６は照明部２００からの光を散乱して、画素電極３３に均一に照射されるようにするためのものである。この第４の透明基板３４と第３の透明基板３０の間に液晶層４０が封入されている。液晶層４０は、視覚特性、コントラストの優れたＶＡ（垂直配向）方式が最適である。
【００２６】
上述の構成によれば、照明部２００から放射される光及び外光は、偏光板３７によって円偏光となり、さらに光散乱層３６、第４の透明基板３４、共通電極３５を通過して液晶層４０に導入され、反射画素電極３３によって反射される。ここで、液晶層４０がＶＡ方式であって、且つ、電圧が印加されていない場合は、液晶層４０を透過しても、偏光が変化しないので、反射画素電極３３によって反射された光は、同じ経路を逆戻りして、円偏光板３７を通過できないために黒表示となる。他方、電圧が印加されている場合は、画素電極３３と共通電極３５の間に印加される電界によって、光の透過率が画素毎に変化する。これにより、反射画素電極３３によって反射される光の強度が画素毎に変化することでＬＣＤ表示を実現することができる。このＬＣＤからの光は、島状に形成された陰極層１５の隙間を通して観察者に視認される。
【００２７】
このとき、画素電極３３と共通電極３５の間に印加される電界によって、光の透過率が画素毎に変化する。これにより、反射画素電極３３によって反射される光の強度が画素毎に変化することでＬＣＤ表示を実現することができる。前述したように、照明部２００の陰極層１５が遮光層として機能するため、有機ＥＬ素子１２の発光領域からの光の漏れが極力防止され、液晶表示のコントラストを高くすることができる。
【００２８】
照明部２００は反射液晶表示部３００の上方に近接して配置されることが好ましい。しかしながら、照射部２００と反射液晶表示部３００の間に空気層が存在すると、照明部２００の第１の透明基板１０から放射された光が空気層に入るときに、第１の透明基板１０と空気層の界面で反射して、その反射光が観測者側に戻り、コントラストを低下させるおそれがある。
【００２９】
そこで、第１の透明基板１０と同じ屈折率を有した樹脂層４５（例えばＵＶ硬化樹脂層又は可視光硬化樹脂層）を介して照射装置２００と反射液晶表示部３００とを接合することで、光の屈折を防止することが好ましい。
【００３０】
次に、照明部２００と反射型ＬＣＤ３００の画素との配置関係について説明する。図４に示すように、反射液晶表示部３００の画素領域３１０において、赤、緑、青の３原色に対応する３種類の画素Ｒ、Ｇ、Ｂが行方向（ｘ）及び列方向（ｙ）に配列されている。図４Ａは行毎に画素Ｒ、Ｇ、Ｂをずらしたデルタ配列であるが、これに限らず、行毎に画素Ｒ、Ｇ、Ｂが整列されたストライプ配列であってもよい。照明部２００の島状に形成された複数の陰極層１５は、各画素Ｒ、Ｇ、Ｂの境界に沿って行方向（ｘ）に並んで配置されている。
【００３１】
各画素は、１つのＴＦＴ３１、１つの反射画素電極３３を有する。照明部２００の陰極層１５の行間ピッチＰ１は画素の行間ピッチＰ２と等しい。また、照明部２００の陰極層１５の列間ピッチＱ１は画素の行間ピッチＱ２と等しい。また、図４Ａに示したように照明部２００の陰極層１５は、液晶表示に寄与しない反射画素電極３３の離間領域ＳＲの真上に配置することが好ましい。これにより、反射画素電極３３で反射された光の大部分が陰極層１５によって遮られることなく複数の陰極層１５の隙間を通って観察者に視認されるようになる利点がある。
【００３２】
他方、照明部２００の陰極層１５は、反射画素電極３３の真上に配置する構成であってもよい。陰極層１５を島状に形成することにより、陰極層１５の配置ピッチを小さくして、人の目に見えにくく且つ発光効率のよいフロントライトとすることができるので、陰極層１５の配置位置の自由度を向上させることができる。
また、図４Ｂに示したように陰極層１５と反射画素電極３３の配置ピッチを異ならせて、対応位置関係を不規則的に配置する構成としてもよい。
【００３３】
例えば、照明部２００の陰極層１５の行間ピッチＰ１は、画素の行間ピッチＰ２よりも小さく、かつ画素の行間ピッチＰ２に対する陰極層１５の行間ピッチＰ１の比（＝Ｐ１／Ｐ２）を１／自然数としてもよい。照明部２００の陰極層１５の行間ピッチと画素の行間ピッチが同じであると、液晶表示において干渉縞やモアレ縞が生じるが、このように設定することでそれらの現象を防止することができる。
【００３４】
また、逆に、照明部２００の陰極層１５の行間ピッチＰ１は、画素の行間ピッチＰ２よりも大きく、かつ画素の行間ピッチＰ２に対する陰極層１５の行間ピッチＰ１の比（Ｐ１／Ｐ２）を自然数としてもよい。このように設定することで干渉縞やモアレ縞（ｍｏｉｒｅ）を防止することができる。
【００３５】
また、照明部２００の陰極層１５の列間ピッチＱ１は、画素の列間ピッチＱ２よりも小さく、かつ画素の列間ピッチＱ２に対する陰極層１５の列間ピッチＱ１の比（＝Ｑ１／Ｑ２）を１／自然数としてもよい。陰極層１５の列間ピッチと画素の列間ピッチが同じであると、液晶表示において干渉縞やモアレ縞（ｍｏｉｒｅ）が生じるが、このように設定することでも、それらの現象を防止することができる。
【００３６】
また、逆に、照明部２００の陰極層１５の列間ピッチＱ１は、画素の列間ピッチＱ２よりも大きく、かつ画素の列間ピッチＱ２に対する陰極層１５の列間ピッチＱ１の比（Ｑ１／Ｑ２）を自然数としてもよい。このように設定することでも干渉縞やモアレ縞（ｍｏｉｒｅ）を防止することができる。
【００３７】
更に、図４Ｃに示したように前記行間ピッチ及び又は列間ピッチは、表示装置の表示領域上で、２種類以上の複数種類のピッチを有するように設計することで、陰極層１５のピッチパターンに２種類以上の周期性を持たせることができるため、干渉縞やモアレ縞をより防止することができる。図４Ｃにおいて、照明部２００の陰極層１５の行間ピッチは、Ｐ１ａ、Ｐ１ｂ、Ｐ１ｃの３種類のピッチで設計されている。また、陰極層１５の列間ピッチは、Ｑ１ａ、Ｑ１ｂ、Ｑ１ｃの３種類のピッチで設計されている。
【００３８】
また、照明部２００の陰極層１５のピッチパターンは、マスクパターンの設計単位ごとに異なせてもよい。すなわち、マスクパターンの設計単位は、ＬＴＰＳ（低温ポリシリコン）の場合、大きくても１ｍｍ角程度であり、この設計単位内に一画素あたり１０〜２０μ×３０〜５０μ位の大きさの画素をパターン設計する。そして、この設計単位を表示装置の画面の大きさに応じて複写して、マスクパターンを設計する。そこで、図４Ｄに示したように、照明部２００の陰極層１５のピッチパターンが異なる設計単位Ｓ１、Ｓ２、３３を複数用意して、これを適宜組み合わせることで、１ｍｍ以上の範囲で、陰極層１５のピッチパターンに周期性がなくなるため、照明部２００の陰極層１５のピッチパターンと画素のピッチパターンが干渉して、干渉縞やモアレ縞が発生することを防止することができる。
【００３９】
また、照明部２００の島状に形成された複数の陰極層１５は、行方向（ｘ）に対して斜め方向に配列されてもよい。図６Ａは、照明部２００の島状に形成された複数の陰極層１５を行方向（ｘ）に対して斜め４５度（１３５度）方向に配置した例を示している。このように設定することにより干渉縞やモアレ縞を防止することができる。更に、画素ピッチ（Ｐ２及び又はＱ２）と照明部２００の島状に形成された複数の陰極層１５の配置ピッチ（Ｐ１ａ及び又はＱ１ａ）を異ならせることで、干渉縞やモアレ縞を一層防止することができる。
【００４０】
図６Ｂは、陰極層をライン状に形成した例を示したものであり、図において、ライン状に形成された陰極層１５ｂは、行方向（ｘ）に対して斜め４５度（１３５度）方向に配置されている。このように設定することにより干渉縞やモアレ縞を防止することができる。更に、画素ピッチ（Ｐ２及び又はＱ２）と照明部２００のライン状に形成された複数の陰極層１５ｂの配置ピッチ（Ｐ１ｂ及び又はＱ１ｂ）を異ならせることで、干渉縞やモアレ縞を一層防止することができる。
【００４１】
図６Ｃは、陰極層を格子状に形成した例を示したものであり、図において、格子状に形成された陰極層１５ｃは、行方向（ｘ）に対して斜め４５度（１３５度）方向に配置されている。このように設定することにより干渉縞やモアレ縞を防止することができる。更に、画素ピッチ（Ｐ２及び又はＱ２）と照明部２００のライン状に形成された複数の陰極層１５ｂの配置ピッチ（Ｐ１ｃ及び又はＱ１ｃ）を異ならせることで、干渉縞やモアレ縞を一層防止することができる。
【００４２】
尚、図６において、陰極層１５を行方向（ｘ）に対して斜め４５度（１３５度）方向に配置した例を示したが、干渉縞やモアレ縞の発生を抑えられる角度であれば、他の角度であってもよい。
【００４３】
次に本発明の第２の実施形態に係る表示装置について、図７を参照しながら説明する。
図７は反射液晶表示部３００の構造及び照明部２００との結合関係を示した断面図であり、図４のＸ−Ｘ線に沿った断面図に対応している。本実施形態の特徴とする点は、第１の実施形態の第１の透明基板１０と第４の透明基板３４とを兼用して１つの透明基板とした
ことである。すなわち、図６に示すように、第１の透明基板１０が削除され、第４の透明基板３４上に有機ＥＬ素子１２が形成されている。これにより、表示装置の全体の厚さを薄くできるとともに、コストダウンを図ることができる。
【００４４】
次に本発明の第３の実施形態に係る表示装置について、図面を参照しながら説明する。
図９は、この表示装置の全体の断面図である。第１の実施形態（図１参照）の有機ＥＬ素子１２の陽極層１３は、島状のパターンを有していないのに対して、本実施形態では、有機ＥＬ素子１２の陽極層１３Ａは、島状のパターンを有している。
【００４５】
すなわち、第１の透明基板１０上に島状のパターンを有する複数の陽極層１３Ａが形成され、これら陽極層１３Ａを覆って有機層１４が形成され、この有機層１４上に、同様の島状のパターンを有する複数の陰極層１５が形成されている。島状に形成された複数の陰極層１５Ａとそれらの下層に形成された島状に形成された複数の陽極層１３Ａは重畳されている。これ以外の点については、第１の実施形態と全く同様である。
【００４６】
第１の実施形態（図１）のように、ＩＴＯやＩＺＯからなる陽極層１３は、第１の透明基板１０上に複数に分離されていないパターンで形成すると、屈折率の差により、第２の透明基板２０を通して入射される外光や、有機ＥＬ素子１２で発生する光が陽極層１３によって反射され、液晶表示のコントラストが低下してしまう。これに対して、本実施形態によれば、島状の陽極層１３Ａの間を通過する光については、陽極層１３Ａによる反射の影響を受けない。したがって、光の透過率が上がり、液晶表示のコントラストを向上させることができる。
【００４７】
また、図８の構造では、第２の透明基板２０の表面に第１の透明基板１０と対面するように乾燥剤層１６が形成されているが、図９に示すように、第１の透明基板１０、第２の透明基板２０及びシール層１１によって囲まれた空間に、第１の透明基板の屈折率と等しい屈折率を有する樹脂１７を充填してもよい。
【００４８】
図１０は、反射液晶表示部３００の構造及び照明部２００との結合関係を示した断面図であり、図４のＸ−Ｘ線に沿った断面図に相当している。反射液晶表示部３００の構造については第１の実施形態と全く同じである。前述のように、照明部２００の陰極層１５のラインは、液晶表示に寄与しない反射画素電極３３の離間領域ＳＲの真上に配置することが好ましいが、この場合に、陽極層１３Ａのラインも陰極層１５のラインの下方に重なって配置される。陽極層１３Ａのラインと陰極層１５のラインによって挟まれた有機層１４の部分が発光領域となる。陰極層１５のラインは、発光領域で発生した光の漏れを防止しているが、陰極層１５のラインの幅Ｗ１を陽極層１３Ａのラインの幅Ｗ２よりも大きくすることにより、光の漏れをより少なくして液晶表示のコントラストをさらに向上することができる。
【００４９】
次に本発明の第４の実施形態に係る表示装置について、図１１を参照しながら説明する。図１１は反射液晶表示部３００の構造及び照明部２００との結合関係を示した断面図であり、図４のＸ−Ｘ線に沿った断面図に対応している。本実施形態の特徴とする点は、第３の実施形態の第１の透明基板１０と第４の透明基板３４とを兼用して１つの透明基板としたことである。すなわち、図１１に示すように、第１の透明基板１０が削除され、第４の透明基板３４上に有機ＥＬ素子１２が形成されている。これにより、表示装置の全体の厚さを薄くできるとともに、コストダウンを図ることができる。
【００５０】
次に本発明の第５の実施形態に係る表示装置について、図面を参照しながら説明する。図１２は、この表示装置の全体の断面図である。第１の実施形態（図１参照）の有機ＥＬ素子１２の陽極層１３、有機層１４は、島状のパターンを有していないのに対して、本実施形態では、有機ＥＬ素子１２の陽極層１３Ａ、有機層１４Ａは、いずれも島状のパターンを有している。
【００５１】
すなわち、第１の透明基板１０上に島状のパターンを有する複数の陽極層１３Ａが形成され、これら陽極層１３Ａ上に島状のパターンを有する複数の有機層１４Ａが積層され、これらの有機層１４Ａ上に、同様の島状のパターンを有する複数の陰極層１５が形成されている。複数の陰極層１５Ａとそれらの下層に形成された複数の有機層１４Ａと、複数の陽極層１３Ａとは重畳されている。これ以外の点については、第１の実施形態と全く同様である。
【００５２】
第１の実施形態（図１）のように、ＩＴＯやＩＺＯからなる陽極層１３は、第１の透明基板１０上に非ラインパターンで形成すると、屈折率の差により、第２の透明基板２０を通して入射される外光や、有機ＥＬ素子１２で発生する光が陽極層１３によって反射され、液晶表示のコントラストが低下してしまう。また、有機層１４についても同様の反射が生じる。
【００５３】
これに対して、本実施形態によれば、島状に形成された陽極層１３Ａ及び有機層１４Ａの間を通過する光については、これらの層による反射の影響を受けない。したがって、光の透過率が上がり、液晶表示のコントラストを向上させることができる。
【００５４】
また、図１２の構造では、第２の透明基板２０の表面に第１の透明基板１０と対面するように乾燥剤層１６が形成されているが、図１３に示すように、第１の透明基板１０、第２の透明基板２０及びシール層１１によって囲まれた空間に、第１の透明基板の屈折率と等しい屈折率を有する樹脂１７を充填してもよい。
【００５５】
図１４は、反射液晶表示部３００の構造及び照明部２００との結合関係を示した断面図であり、図３のＸ−Ｘ線に沿った断面図に相当している。反射液晶表示部３００の構造については第１の実施形態と全く同じである。前述のように、照明部２００の陰極層１５は、液晶表示に寄与しない反射画素電極３３の離間領域ＳＲの真上に配置することが好ましいが、この場合に、有機層１４Ａ及び陽極層１３Ａも陰極層１５の下方に重なって配置される。陽極層１３Ａと陰極層１５によって挟まれた有機層１４Ａが発光領域となる。陰極層１５は、発光領域で発生した光の漏れを防止しているが、陰極層１５の幅Ｗ１を有機層１４Ａの幅Ｗ３、陽極層１３Ａの幅Ｗ４よりも大きくすることにより、光の漏れをより少なくして液晶表示のコントラストをさらに向上することができる。
【００５６】
また図１５に示すように、陰極層１５のエッジと有機層１４Ａのエッジとの間の距離Ｌは、有機層１４Ａの厚さＴよりも大きいことが光の漏れをさらに少なくする上で好ましい。また、有機層１４Ａの幅Ｗ３は陽極層１３Ａのラインの幅Ｗ４よりも大きくてもよい。
【００５７】
次に本発明の第６の実施形態に係る表示装置について、図１６を参照しながら説明する。図１６は反射液晶表示部３００の構造及び照明部２００との結合関係を示した断面図であり、図３のＸ−Ｘ線に沿った断面図に対応している。本実施形態の特徴とする点は、第５の実施形態の第１の透明基板１０と第４の透明基板３４とを兼用して１つの透明基板としたことである。すなわち、図１６に示すように、第１の透明基板１０が削除され、第４の透明基板３４上に有機ＥＬ素子１２が形成されている。これにより、表示装置の全体の厚さを薄くできるとともに、コストダウンを図ることができる。
【００５８】
なお、陰極層１５はそのピッチを調整することにより、離間領域ＳＲ以外の反射画素電極３３上に配置することも可能である。また、陰極層１５のパターンはパターン以外にもメッシュ状のパターンであってもよい。
【００５９】
また、第５、第６の実施形態において、図１７に示すように、陰極層１５は、有機層１４および陽極層１３を覆うように形成されていてもよい。
【００６０】
上述の実施形態において、エレクトロルミネッセンスとして、ジアミン類などの有機物を使った有機ＥＬディスプレイを示したが、これに限られず、硫化亜鉛などの無機物を使う無機ＥＬディスプレイであってよい。また、同様な作用効果を奏する光源であれば、エレクトロルミネッセンス以外のものを発光部としてよい。
【００６１】
上述の実施形態において、ボトムエミッション型の有機エレクトロルミネッセンス素子をフロントライトとして採用したものであるが、これに限定されず、トップエミッション型の有機エレクトロルミネッセンス素子をフロントライトとして採用してもよい。
【図面の簡単な説明】
【００６２】
【図１】本発明の第１の実施形態に係る表示装置の第１の断面図である。
【図２】本発明に係る陰極層１５の発光部平面形状を示す照明部２００の一部の平面図である。
【図３】本発明の第１の実施形態に係る表示装置の第２の断面図である。
【図４】反射液晶表示部３００の画素領域３１０の一部の平面図である。
【図５】図４のＸ−Ｘ線に沿った断面図である。
【図６】反射液晶表示部３００の画素領域３１０の一部の平面図である。
【図７】本発明の第２の実施形態に係る表示装置の断面図である。
【図８】本発明の第３の実施形態に係る表示装置の第１の断面図である。
【図９】本発明の第３の実施形態に係る表示装置の第２の断面図である。
【図１０】本発明の第３の実施形態に係る表示装置の第３の断面図である。
【図１１】本発明の第４の実施形態に係る表示装置の断面図である。
【図１２】本発明の第５の実施形態に係る表示装置の第１の断面図である。
【図１３】本発明の第５の実施形態に係る表示装置の第２の断面図である。
【図１４】本発明の第５の実施形態に係る表示装置の第３の断面図である。
【図１５】本発明の第５の実施形態に係る表示装置の有機ＥＬ素子の断面図である。
【図１６】本発明の第６の実施形態に係る表示装置の断面図である。
【図１７】有機ＥＬ素子１２の断面図である。
【図１８】フロントライトが設けられた反射型ＬＣＤを示す図である。
【符号の説明】
【００６３】
１０  第１の透明基板
１１  シール層
１２  有機ＥＬ素子
１３  陽極層
１４  有機層
１５  陰極層
１６  乾燥剤層
１７  樹脂
２０  第２の透明基板
２１  反射防止層
３０  第３の透明基板
３１  薄膜トランジスタ（ＴＦＴ）
３２  層間絶縁膜
３３  画素電極
３４  第４の透明基板
３５  共通電極
３６  光散乱層
３７  偏光板
４０  液晶層
４５  樹脂層
２００  照明部
３００  液晶表示部
【図１】
0004815939.tif 000002
【図２】
0004815939.tif 000003
【図３】
0004815939.tif 000004
【図４】
0004815939.tif 000005
【図５】
0004815939.tif 000006
【図６】
0004815939.tif 000007
【図７】
0004815939.tif 000008
【図８】
0004815939.tif 000009
【図９】
0004815939.tif 000010
【図１０】
0004815939.tif 000011
【図１１】
0004815939.tif 000012
【図１２】
0004815939.tif 000013
【図１３】
0004815939.tif 000014
【図１４】
0004815939.tif 000015
【図１５】
0004815939.tif 000016
【図１６】
0004815939.tif 000017
【図１７】
0004815939.tif 000018
【図１８】
0004815939.tif 000019